(57)【要約】【課題】  放電電圧を低下させることができる平板蛍光ランプ及びこれを有する液晶表示装置を開示している。【解決手段】  平板蛍光ランプは、同一平板上に互いに平行に形成される複数の放電空間を具備するランプ本体及びランプ本体の外面に形成され、全ての放電空間と交差するよう放電空間の長手方向の両端部にそれぞれ形成される第１外部電極１２０を含む。ここで、各放電空間は、第１外部電極と重なる第１領域の第１空間幅が、第１外部電極と重ならない第２領域の第２空間幅に比べて大きく形成される。したがって、第１外部電極と重なる放電空間の面積が増加され、放電電圧を低下させることができる。【選択図】        図３
2006032331.tif 000002
【特許請求の範囲】
【請求項１】
同一平面上に互いに平行に形成される複数の放電空間を具備するランプ本体と、
前記ランプ本体の外面に形成され、全ての前記放電空間と交差するように前記放電空間の長手方向の両端部にそれぞれ形成される第１外部電極と、を含み、
各放電空間は、前記放電空間と前記第１外部電極とが重なる第１領域の第１空間幅が、前記放電空間と前記第１外部電極とが重ならない第２領域の第２空間幅に比べて大きく形成されることを特徴とする平板蛍光ランプ。
【請求項２】
前記第１空間幅及び第２空間幅は、前記第１外部電極の延長方向と同じ方向の長さであることを特徴とする請求項１記載の平板蛍光ランプ。
【請求項３】
前記ランプ本体は、
平板形状の第１基板と、
前記第１基板と離隔され、前記放電空間を形成する複数の放電空間部、隣接する前記放電空間部の間に形成され、前記第１基板と接する複数の空間分割部、及び全ての前記放電空間部と前記空間分割部を取り囲むエッジに形成され、前記第１基板と結合されるシーリング部を有する第２基板と、を含むことを特徴とする請求項１記載の平板蛍光ランプ。
【請求項４】
前記第１外部電極は、前記第２基板の外面に形成されることを特徴とする請求項３記載の平板蛍光ランプ。
【請求項５】
各放電空間部は、前記第１領域で前記第１空間幅を有し、前記第２領域で前記第２空間幅を有することを特徴とする請求項４記載の平板蛍光ランプ。
【請求項６】
各放電空間部は、前記第１領域と前記第２領域の境界部で前記第１領域から前記第２領域に近くなるほど空間幅が次第に減少することを特徴とする請求項４記載の平板蛍光ランプ。
【請求項７】
各空間分割部は、前記第１領域での第１分割幅が前記第２領域での第２分割幅より小さく形成されることを特徴とする請求項４記載の平板蛍光ランプ。
【請求項８】
前記第１分割幅及び第２分割幅は、前記放電空間部と隣接した前記放電空間部の間の離隔距離であることを特徴とする請求項７記載の平板蛍光ランプ。
【請求項９】
前記第１分割幅は、全ての前記放電空間部において同じであることを特徴とする請求項８記載の平板蛍光ランプ。
【請求項１０】
各放電空間部は、長手方向を基準として上下対称に形成されることを特徴とする請求項９記載の平板蛍光ランプ。
【請求項１１】
前記空間分割部のうち、外郭と最も隣接した前記空間分割部の前記第１分割幅は、他の空間分割部の前記第１分割幅より小さいことを特徴とする請求項８記載の平板蛍光ランプ。
【請求項１２】
前記放電空間部のうち、外郭と最も隣接した前記放電空間部は、前記シーリング部と接する辺が前記第１領域と前記第２領域で同一線上に形成され、隣接した前記空間分割部と接する辺が、前記第１領域で前記第２領域に比べて隣接した前記放電空間部側に突出することを特徴とする請求項１１記載の平板蛍光ランプ。
【請求項１３】
前記放電空間部のうち、外郭と最も隣接した前記放電空間部を除いた残余放電空間部は、長手方向を基準として上下対称に形成されることを特徴とする請求項１２記載の平板蛍光ランプ。
【請求項１４】
前記空間分割部のうち、外郭と隣接した二つ以上の空間分割部は、前記第１分割幅が、他の空間分割部の前記第１分割幅より小さいことを特徴とする請求項８記載の平板蛍光ランプ。
【請求項１５】
前記放電空間部のうち、外郭と最も隣接した前記放電空間部は、前記シーリング部と接する辺が前記第１領域と前記第２領域で同一線上に形成されることを特徴とする請求項１４記載の平板蛍光ランプ。
【請求項１６】
前記第１外部電極に対応して前記第１基板の外面に形成される第２外部電極を更に含むことを特徴とする請求項４記載の平板蛍光ランプ。
【請求項１７】
各空間分割部は、互いに隣接した前記放電空間を連結するために、一部が前記第１基板と離隔される一つ以上の連結通路を更に含むことを特徴とする請求項３記載の平板蛍光ランプ。
【請求項１８】
前記第１基板の内面に形成され、前記放電空間で発生する光を反射させる反射層と、
前記第１基板の内面及び前記第２基板の内面に形成され、可視光を発生させる蛍光層と、を更に含むことを特徴とする請求項３記載の平板蛍光ランプ。
【請求項１９】
平板形状の第１基板と、
前記第１基板と離隔され、複数の放電空間を形成する複数の放電空間部及び隣接する前記放電空間部の間に形成され、前記第１基板と接する複数の空間分割部を含む第２基板と、
全ての前記放電空間部と交差するように前記第２基板の外面の両端部にそれぞれ形成される第１外部電極とを含み、
各放電空間部は、前記放電空間部と前記第１外部電極とが重なる第１領域の第１空間幅が、前記放電空間部と前記第１外部電極とが重ならない第２領域の第２空間幅に比べて大きく形成されることを特徴とする平板蛍光ランプ。
【請求項２０】
各空間分割部は、前記第１領域での第１分割幅が前記第２領域での第２分割幅より小さく形成されることを特徴とする請求項１９記載の平板蛍光ランプ。
【請求項２１】
前記放電空間部それぞれは、長手方向を基準として上下対称に形成されることを特徴とする請求項２０記載の平板蛍光ランプ。
【請求項２２】
前記第１空間幅は１２ｍｍであり、前記第２空間幅は１０ｍｍであることを特徴とする請求項２０記載の平板蛍光ランプ。
【請求項２３】
前記第１分割幅は２ｍｍであり、前記第２分割幅は４ｍｍであることを特徴とする請求項２０記載の平板蛍光ランプ。
【請求項２４】
平板形状の第１基板と、
前記第１基板と離隔され、複数の放電空間を形成する複数の放電空間部、隣接する前記放電空間部の間に形成され、前記第１基板と接する複数の空間分割部、及び全ての前記放電空間部と前記空間分割部取りを囲むエッジに形成され、前記第１基板と結合するシーリング部を含む第２基板と、
全ての前記放電空間部と交差するように前記第２基板と外面の両端部にそれぞれ形成される第１外部電極とを含み、
各放電空間部は、前記第１外部電極と重なる第１領域の第１空間幅が、前記第１外部電極と重ならない第２領域の第２空間幅に比べて大きく形成され、前記シーリング部と最も隣接した放電空間部は、前記シーリング部と接する辺が前記第１領域と前記第２領域の同一線上に形成されることを特徴とする平板蛍光ランプ。
【請求項２５】
全ての前記放電空間部は、同じ前記第１空間幅を有することを特徴とする請求項２４記載の平板蛍光ランプ。
【請求項２６】
各空間分割部は、前記第１領域での第１分割幅が前記第２領域での第２分割幅より小さく形成されることを特徴とする請求項２５記載の平板蛍光ランプ。
【請求項２７】
前記シーリング部と最も隣接した前記空間分割部の前記第１分割幅は、他の空間分割部の前記第１分割幅より小さいことを特徴とする請求項２６記載の平板蛍光ランプ。
【請求項２８】
前記第２分割幅は４ｍｍであり、前記シーリング部と最も隣接した前記空間分割部の前記第１分割幅は１ｍｍであり、他の前記空間分割部の前記第１分割幅は２ｍｍであることを特徴とする請求項２７記載の平板蛍光ランプ。
【請求項２９】
前記シーリング部と並んで隣接した二つ以上の前記空間分割部は、前記第１分割幅が他の空間分割部に比べて小さいことを特徴とする請求項２６記載の平板蛍光ランプ。
【請求項３０】
前記第２分割幅は４ｍｍであり、前記シーリング部と並んで隣接した二つの前記空間分割部の前記第１分割幅は１．５ｍｍであり、他の空間分割部の前記第１分割幅は２ｍｍであることを特徴とする請求項２９記載の平板蛍光ランプ。
【請求項３１】
平板形状の第１基板と、
前記第１基板と同じ形状を有し、前記第１基板と結合して内部空間を形成する第２基板と、
前記第１基板と前記第２基板との間に配置され、前記内部空間を複数の放電空間に分割する複数の隔壁と、
前記第１基板または前記第２基板のいずれかまたは双方の外面に形成され、全ての前記放電空間と交差するように前記放電空間の長手方向の両端部にそれぞれ形成される外部電極と、を含み、
各隔壁は、前記外部電極と重なる第１領域の第１隔壁幅が前記外部電極と重ならない第２領域の第２隔壁より小さいことを特徴とする平板蛍光ランプ。
【請求項３２】
互いに隣接した前記隔壁間に前記第１領域での第１離隔距離は、前記第２領域での第２離隔距離より大きいことを特徴とする請求項３１記載の平板蛍光ランプ。
【請求項３３】
全ての前記隔壁間の前記第１離隔距離は同じであることを特徴とする請求項３２記載の平板蛍光ランプ。
【請求項３４】
外郭と最も隣接した前記隔壁の前記第１隔壁幅は、他の隔壁の前記第１隔壁幅より小さいことを特徴とする請求項３３記載の平板蛍光ランプ。
【請求項３５】
外郭と並んで隣接する二つ以上の前記隔壁は、前記第１隔壁幅が他の前記隔壁に比べて小さいことを特徴とする請求項３３記載の平板蛍光ランプ。
【請求項３６】
同じ平面上に互いに平行に形成される複数の放電空間を備えるランプ本体及び全ての放電空間と交差するように前記ランプ本体の外面の両端部にそれぞれ形成される外部電極を含み、前記放電空間それぞれは前記外部電極と重なる第１領域の第１空間幅が前記外部電極と重ならない第２領域の第２空間幅より大きく形成される平板蛍光ランプと、
前記平板蛍光ランプから出射される光を用いて画像を表示する液晶表示パネルと、
前記平板蛍光ランプを駆動するための放電電圧を前記外部電極に印加するインバータと、を含むことを特徴とする液晶表示装置。
【請求項３７】
前記第１空間幅及び前記第２空間幅は、前記外部電極の延長方向と同じ方向の長さであることを特徴とする請求項３６記載の液晶表示装置。
【請求項３８】
前記第１空間幅は、全ての前記放電空間で同じであることを特徴とする請求項３６記載の液晶表示装置。
【請求項３９】
互いに隣接した前記放電空間の間の前記第１領域での前記第１分割幅は、前記第２領域での前記第２分割幅より小さいことを特徴とする請求項３８記載の液晶表示装置。
【請求項４０】
前記第１分割幅及び前記第２分割幅は、隣接した前記放電空間の間の離隔距離であることを特徴とする請求項３９記載の液晶表示装置。
【請求項４１】
全ての前記放電空間の間の前記第１分割幅は同じであることを特徴とする請求項４０記載の液晶表示装置。
【請求項４２】
各放電空間は、長手方向を基準として上下対称に形成されることを特徴とする請求項４１記載の液晶表示装置。
【請求項４３】
前記放電空間のうち、外郭と並んで隣接する二つの前記放電空間の間の前記第１分割幅は、他の前記第１分割幅に比べて小さいことを特徴とする請求項４０記載の液晶表示装置。
【請求項４４】
前記放電空間のうち、外郭と最も隣接する前記放電空間を除いた残余放電空間は、長手方向を基準として上下対称に形成されることを特徴とする請求項４３記載の液晶表示装置。
【請求項４５】
前記放電空間のうち、外郭と並んで隣接する三つの前記放電空間の間の前記第１分割幅は、他の前記第１分割幅に比べて小さいことを特徴とする請求項４０記載の液晶表示装置。
【請求項４６】
前記放電空間部のうち、外郭と並んで隣接する二つの前記放電空間を除いた残余放電空間は、長手方向を基準として上下対称に形成されることを特徴とする請求項４５記載の液晶表示装置。
【請求項４７】
前記平板蛍光ランプを収納する収納容器と、
前記平板蛍光ランプと前記液晶表示パネルとの間に配置される光学部材と、
前記液晶表示パネルを前記収納容器に固定するための固定部材を更に含むことを特徴とする請求項３６記載の液晶表示装置。
【請求項４８】
前記光学部材は、
前記平板蛍光ランプと所定間隔に離隔されて配置され、前記平板蛍光ランプから出射される光を拡散させる拡散板と、
前記拡散板から出射される光を前記液晶表示パネルの方向に集光するための一枚以上の集光シートと、を含むことを特徴とする請求項４７記載の液晶表示装置。
【発明の詳細な説明】
【技術分野】
【０００１】
本発明は平板蛍光ランプ及びこれを有する液晶表示装置に係わり、更に詳細には複数の放電空間に分割したランプ本体から面形態で光を出射する平板蛍光ランプ、及びこれを有する液晶表示装置に関する。
【背景技術】
【０００２】
一般に、液晶表示装置（Ｌｉｑｕｉｄ  Ｃｒｙｓｔａｌ  Ｄｉｓｐｌａｙ）は、液晶（Ｌｉｑｕｉｄ  Ｃｒｙｓｔａｌ）を用いて画像を表示する平板表示装置の一つであって、他のディスプレイ装置に比べて薄くて軽く、低い駆動電圧、及び低い消費電力を有するという長所があるため、産業全般にかけて広範囲に使われている。
【０００３】
このような液晶表示装置は、画像を表示するための液晶表示パネルが自発光しない非発光性素子であるため、別途の光源を提供するバックライトアセンブリを必要とする。
【０００４】
バックライトアセンブリは、光源としては細管形状を有する冷陰極蛍光ランプ（ＣＣＦＫ）が主に用いられる。冷陰極蛍光ランプを光源として用いるバックライトアセンブリは、光源の位置によってエッジ型（ｅｄｇｅ  ｔｙｐｅ）と直下型（ｄｉｒｅｃｔ  ｔｙｐｅ）に分類する。エッジ型は、透明導光板の側面に一つ又は二つの光源を位置させ、導光板の一面を用いて光を多重反射させることによって得られた光を液晶表示パネルに出射する方式であり、直下型は、複数の光源を液晶表示パネルの直下部に位置させ、光源の前面には拡散板を配置し、光源の背面には反射板を配置して光源から発散された光を反射、拡散させる方式である。
【０００５】
このような従来のバックライトアセンブリは、導光板又は拡散板などの光学部材による光損失が発生して光利用効率が低く、全体構造が複雑で生産費が高いだけでなく、輝度の均一性が落ちる問題点がある。
【０００６】
このような問題点を解消するために、最近には面形態で光を直接出射する平板蛍光ランプに対する開発が進行しつつある。平板蛍光ランプは、内部が複数の放電空間に分割されたランプ本体、及び放電電圧を印加するためにランプ本体の外面に形成される電極を含む。このような平板蛍光ランプは外部から電極に印加される放電電圧によって、各放電空間でプラズマ放電を起こし、これを用いて光を出射する。
【０００７】
しかし、電極がランプ本体の外面に形成されることによって、平板蛍光ランプを駆動するための放電電圧が大きくなるという問題が発生する。また、放電電圧を低下させるために電極の面積を増加させる場合には、ランプ本体の全体的な大きさが大きくなるという問題が発生する。
【発明の開示】
【発明が解決しようとする課題】
【０００８】
したがって、本発明の目的は、平板蛍光ランプの大きさは維持し、かつ放電電圧を減少させることができる平板蛍光ランプを提供することにある。
【０００９】
本発明の他の目的は、前記のような平板蛍光ランプを光源として有する液晶表示装置を提供することにある。
【課題を解決するための手段】
【００１０】
前述した本発明の目的を達成するための一特徴による平板蛍光ランプは、ランプ本体及び第１外部電極を含む。前記ランプ本体は、同一平面上に互いに平行に形成される複数の放電空間を具備する。前記第１外部電極は、前記ランプ本体の外面に形成され、全ての前記放電空間と交差するように放電空間の長手方向の両端部にそれぞれ形成される。ここで、各放電空間は、前記放電空間と前記第１外部電極とが重なる第１領域の第１空間幅が、前記放電空間と前記第１外部電極とが重ならない第２領域の第２空間幅に比べて大きく形成される。
【００１１】
本発明の目的を発生するための他の特徴による平板蛍光ランプは、第１基板、第２基板、及び第１外部電極を含む。前記第１基板は平板形状を有する。前記第２基板は前記第１基板と離隔され、複数の放電空間を形成する複数の放電空間部及び隣接する前記放電空間部の間に形成され、前記第１基板と接する複数の空間分割部を含む。前記第１外部電極は、全ての前記放電空間部と交差するように前記第２基板の外面の両端部にそれぞれ形成される。ここで、各放電空間部は、前記放電空間と前記第１外部電極とが重なる第１領域の第１空間幅が、前記放電空間と前記第１外部電極と重ならない第２領域の第２空間幅に比べて大きく形成される。
【００１２】
本発明の目的を達成するためのまた他の特徴による平板蛍光ランプは、第１基板、第２基板、及び第１外部電極を含む。前記第１基板は平板形状を有する。前記第２基板は、前記第１基板と離隔され、複数の放電空間を形成する複数の放電空間部、隣接する前記放電空間部の間に形成され、前記第１基板と接する複数の空間分割部及び前記放電空間部と前記空間分割部を取り囲むエッジに形成され、前記第１基板と結合するシーリング部を含む。前記第１外部電極は全ての前記放電空間部と交差するように前記第２基板と外面の両端部にそれぞれ形成される。ここで、各放電空間部は、前記放電空間と前記第１外部電極とが重なる第１領域の第１空間幅が、前記放電空間と前記第１外部電極と重ならない第２領域の第２空間幅に比べて大きく形成され、前記シーリング部と最も隣接した放電空間部は前記シーリング部と接する辺が前記第１領域と前記第２領域で同一線上に形成される。
【００１３】
本発明の目的を達成するためのまた他の特徴による平板蛍光ランプは、第１基板、第２基板、複数の隔壁及び外部電極を含む。前記第１基板は平板形状を有する。前記第２基板は前記第１基板と同じ形状を有し、前記第１基板と結合して内部空間を形成する。前記複数の隔壁は前記第１基板と前記第２基板との間に配置され、前記内部空間を複数の放電空間に分割する。前記外部電極は、前記第１基板と第２基板のうち、いずれか一つ以上の外面に形成され、全ての前記放電空間と交差するように前記放電空間の長手方向の両端部にそれぞれ形成される。ここで、各隔壁は、前記放電空間と前記外部電極とが重なる第１領域の第１隔壁幅が、前記放電空間と前記外部電極とが重ならない第２領域の第２隔壁より小さく形成される。
【００１４】
本発明の他の目的を達成するための液晶表示装置は、平板蛍光ランプ、液晶表示パネル、及びインバータを含む。前記平板蛍光ランプは同じ平面上に互いに平行に形成される複数の放電空間を備えるランプ本体及び全ての放電空間と交差するように前記ランプ本体の外面の両端部にそれぞれ形成される外部電極を含み、各放電空間は前記放電空間と前記外部電極とが重なる第１領域の第１空間幅が前記放電空間と前記外部電極とが重ならない第２領域の第２空間幅より大きく形成される。前記液晶表示パネルは前記平板蛍光ランプから出射される光を用いて画像を表示する。前記インバータは前記平板蛍光ランプを駆動するための放電電圧を前記外部電極に印加する。
【発明の効果】
【００１５】
以上のように構成したことにより、本発明による平板蛍光ランプ、及びこれを有する液晶表示装置によると、外部電極と重なる放電空間の面積が増加され、平板ランプを駆動するための放電電圧を減少させることができる。この結果、平板蛍光ランプの大きさを拡大することなく、全体的な大きさは維持され、かつ放電電圧を減少させることができる平板蛍光ランプを提供することができる。また、前記のような平板蛍光ランプを光源として有する液晶表示装置を提供することができる。
【発明を実施するための最良の形態】
【００１６】
以下、本発明の好ましい実施例を図面に基づいてより詳細に説明する。
【実施例】
【００１７】
平板蛍光ランプの実施例
（実施例１）
図１は、本発明の第１実施例による平板蛍光ランプを示した斜視図であり、図２は、図１に示した平板蛍光ランプの断面図である。
【００１８】
図１及び図２を参照すると、本発明の第１実施例による平板蛍光ランプ１００は、ランプ本体１１０、及び第１外部電極１２０を含む。ランプ本体１１０は同一平面上に互いに平行に形成される複数の放電空間１３０を有する。第１外部電極１２０はランプ本体１１０の外面に形成され、全ての放電空間１３０と交差するように放電空間１３０の長手方向の両端部にそれぞれ形成される。各放電空間１３０は、第１外部電極１２０と重なる第１領域（ＲＥ１）と、第１外部電極１２０と重ならない第２領域（ＲＥ２）に区分される。本実施例において、各放電空間１３０は、第１外部電極１２０と重なる面積を増加させるために、第１領域（ＲＥ１）での空間幅が第２領域（ＲＥ２）での空間幅に比べて大きく形成される。ここで、空間幅は、第１外部電極１２０の延長方向と同じ方向の長さを意味する。
【００１９】
具体的に、ランプ本体１１０は、第１基板１４０、第１基板１４０と結合され放電空間１３０を形成する第２基板１５０で構成される。
【００２０】
第１基板１４０は、四角形の平板形状を有し、一例として、可視光線は透過させ、紫外線は遮断する透明なガラス基板からなる。
【００２１】
第２基板１５０は、第１基板１４０と結合され、放電空間１３０を形成し、一例として、第１基板１４０と同じ透明なガラス基板からなる。第２基板１５０は、第１基板１４０と離隔して放電空間１３０を形成する複数の放電空間部１５２、隣接する放電空間部１５２の間に形成され、第１基板１４０と接する複数の空間分割部１５４、及び放電空間部１５２と空間分割部１５４を取り囲むエッジに形成され、第１基板１４０と結合するシーリング部１５６で構成される。
【００２２】
本実施例で、放電空間部１５２は一定間隔に離隔され、互いに平行に形成される。各放電空間部１５２は、第１外部電極１２０と接する第１領域（ＲＥ１）と第１外部電極１２０と接しない第２領域（ＲＥ２）に区分される。各放電空間部１５２は、第１外部電極１２０と接する面積を増加させるために、第１領域（ＲＥ１）での空間幅が第２領域（ＲＥ２）での空間幅に比べて大きく形成される。
【００２３】
このような形状の第２基板１５０は、一例として、成型加工によって形成される。即ち、第１基板１４０のようなプレート形状のベース基板を一定温度で加熱した後、希望する形状の金型を通じて前記ベース基板を成型することで、放電空間部１５２、空間分割部１５４、及びシーリング部１５６を含む第２基板１５０を得ることができる。他にも、第２基板１５０は、ベース基板を加熱した後、空気の吸入を通じて形状を加工するなどの多様な方法によって形成することができる。
【００２４】
本実施例において、第２基板１５０の縦断面は図２に示したように、台形と類似な形状で、複数の半楕円の形状が連続的に連結される形態を有するが、本実施例は一例であって、第２基板１５０の縦断面が半円、四角形などの多様な形態を有するように形成することができる。
【００２５】
第２基板１５０は、一例として、ガラスより低い融点を有するガラスと金属の混合物であるフリット（ｆｒｉｔ）などの接着部材１６０を通じて第１基板１４０と結合する。即ち、第１基板１４０と第２基板１５０との間にシーリング１５６に対応して接着部材１６０を介在した後に塑性することで、第１基板１４０と第２基板１５０は互いに結合する。ここで、接着部材１６０は、第１基板１４０と第２基板１５０との間のシーリング部１５６にのみ形成され、第１基板１４０と接する空間分割部１５４には形成されない。空間分割１５４はランプ本体１１０の内部と外部との圧力差によって第１基板１４０に密着される。具体的には、第１基板１４０と第２基板１５０の結合後、放電空間１３０に存在する空気を排気して真空状態を組成し、その後、放電空間１３０にはプラズマ放電のための多種の放電ガスが注入される。一例として、前記放電ガスは、水銀（Ｈｇ）、ネオン（Ｎｅ）、アルゴン（Ａｒ）、キセノン（Ｘｅｎｏｎ）、及びクリプトン（Ｋｒｙｐｔｏｎ）などを含む。放電空間１３０に存在する前記放電ガスのガス圧は約５０ｔｏｒｒ程度であって、外部大気圧である７６０ｔｏｒｒと比べて圧力差が発生する。このような圧力差によってランプ本体１１０の外部から内部に向く力が発生され、このような力によって空間分割部１５４は第１基板１４０に密着される。
【００２６】
一方、第２基板１５０には、互いに隣接した放電空間１３０を連結するための連結通路１７０が形成される。連結通路１７０はそれぞれの空間分割部１５４に少なくとも一つ以上が形成される。いずれか一つ以上の放電空間１３０に注入される放電ガスは連結通路１７０を通じて他の放電空間１３０に移動し、結局、全ての放電空間１３０には均一なガス圧で放電ガスが分布されるようになる。
【００２７】
第１外部電極１２０は、第２基板１５０の外面に形成される。第１外部電極１２０は、第２基板１５０の両端部に放電空間部１５２の長手方向と垂直な方向にそれぞれ形成され、全ての放電空間１３０と重なる。
【００２８】
本発明で、第１外部電極１２０は、導電性が優秀な材質、例えば、銅（Ｃｕ）、ニケル（Ｎｉ）、銀（Ａｇ）、金（Ａｕ）、アルミニウム（Ａｌ）、クロム（Ｃｒ）などの金属物質よりいずれか一つ以上の金属物質からなる金属パウダー（ｍｅｔａｌ  ｐｏｗｄｅｒ）をスプレーコーティングする方法によって形成される。即ち、第２基板１５０の外面のうち、第１外部電極１２０が形成される位置のみを除いた領域にマスクを配置した後、第１外部電極１２０が形成される位置に前記金属パウダーをスプレー方法でコーティングした後、前記マスクを除去することで、第１外部電極１２０が形成される。他の方法として、第１外部電極１２０は導電性のアルミニウムテープ（Ａｌ  ｔａｐｅ）を張るか、或いは導電性の金属物質をシルバーペースト（Ａｇ  ｐａｓｔｅ）などの導電性接着剤を用いて接着する方法によって形成することができる。また、第１外部電極１２０は、透明な導電性物質、例えば、インジウムスズ酸化物（ＩＴＯ）又はインジウム亜鉛酸化物（ＩＺＯ）で形成することができる。このような第１外部電極１２０は外部から印加される放電電圧をランプ本体１１０に印加して、放電空間１３０にプラズマを発生させる。
【００２９】
一方、ランプ本体１１０は、第１基板１４０の内面に形成される第１蛍光層１４２、反射層１４４、及び第２基板１５０の内面に形成される第２蛍光層１５８を更に含む。第１蛍光層１４２及び第２蛍光層１５８は放電空間１３０でプラズマ放電を通じて発生された紫外線によって励起され、可視光線を放出する。反射層１４４は、第１基板１４０と第１蛍光層１４２との間に形成される。反射層１４４は第１蛍光層１４２及び第２蛍光層１５８によって発生された可視光線を第２基板１５０側に反射させ第１基板１４０を通じて光が漏洩することを防止する。
【００３０】
また、ランプ本体１１０は、第２基板１５０と第２蛍光層１５８との間及び第１基板１４０と反射層１４４との間の少なくともいずれか一方に形成される保護層（図示せず）を更に含むことができる。前記保護層は、第１基板１４０又は第２基板１５０と放電ガスの主成分である水銀との化学的反応を防止して水銀の損失又は黒化現象を防止する。
【００３１】
図３は、図１に示した第２基板の平面図であり、図４は、図３に示した第２基板の一部を拡大した拡大図である。
【００３２】
図３及び図４を参照すると、第２基板１５０は、放電空間部１５２、空間分割部１５４、及びシーリング部１５６で構成される。放電空間部１５２は一定間隔に離隔され、互いに平行に形成され、空間分割部１５４は互いに隣接する放電空間部１５２の間に形成され放電空間１３０を分割し、シーリング部１５６は、放電空間部１５２と空間分割部１５４のエッジを囲むように形成される。
【００３３】
各放電空間部１５２は、第１外部電極１２０と重なる第１領域（ＲＥ１）と第１外部電極１２０と重ならない第２領域（ＲＥ２）に区分される。各放電空間部１５２は、第１領域（ＲＥ１）で第１空間幅（ＳＷ１）を有し、第２領域（ＲＥ２）で第２空間幅（ＳＷ２）を有する。ここで、第１空間幅（ＳＷ１）及び第２空間幅（ＳＷ２）は第１外部電極１２０の延長方向と同じ方向の長さを意味する。
【００３４】
本実施例で、全ての放電空間部１５２の第１空間幅（ＳＷ１）は同じであり、全ての放電空間部１５２の第２空間幅（ＳＷ２）も同じである。各放電空間部１５２の第１空間幅（ＳＷ１）は第２空間幅（ＳＷ２）より大きく形成される。各放電空間部１５２は第１領域（ＲＥ１）と第２領域（ＲＥ２）の境界部で第１領域（ＲＥ１）から第２領域（ＲＥ２）に近くなるほど空間幅が次第に小さく形成される。空間幅が急激に小さくなる場合、空間幅の変化率が高い部分で熱損失が大きい負グロー（ｎｅｇａｔｉｖｅ  ｇｌｏｗ）放電が発生して光効率を低下させるので、空間幅を次第に減少させて負グロー放電を防止する。全ての放電空間部１５２は同じ形状を有し、各放電空間部１５２は長手方向を基準として上下対称に形成される。一例として、シーリング部１５６に最も隣接した放電空間部１５２の場合、第１空間幅（ＳＷ１）は、シーリング部１５６側に突出した第１突出幅（ＰＷ１）と隣接した放電空間部１５２側に突出した第２突出幅（ＰＷ２）だけ第２空間幅（ＳＷ２）に比べて大きく形成される。ここで、第１突出幅（ＰＷ１）と第２突出幅（ＰＷ２）は同じである。
【００３５】
各放電空間１３０で発生される光の輝度は各放電空間１３０に流れる電流量に比例する。前記電流量は第１外部電極１２０とのキャパシタンスによって可変され、各放電空間１３０のキャパシタンスは第１外部電極１２０との対向面積によって決定される。本発明では、各放電空間部１５２の第１空間幅（ＳＷ１）が増加されることによって、各放電空間１３０は第１外部電極１２０と接する面積が増加する。これによって、各放電空間１３０のキャパシタンスは増加され、キャパシタンスに半比例してインピーダンスは減少する。このようなキャパシタンスの増加及びインピーダンスの減少によって放電空間１３０に流れる電流量が増加されるので、ランプ本体１１０の駆動のための放電電圧を低下させることができる。
【００３６】
各空間分割部１５４は、第１領域（ＲＥ１）での第１分割幅（ＤＷ１）が、第２領域（ＲＥ２）での第２分割幅（ＤＷ２）より小さく形成される。ここで、第１分割幅（ＤＷ１）及び第２分割幅（ＤＷ２）は、隣接する放電空間部１５２間の離隔距離である。全ての放電空間部１５４の第１分割幅（ＤＷ１）は同じであり、全ての空間分割部１５４の第２分割幅（ＤＷ２）も同じである。
【００３７】
本実施例による第２基板１５０の具体的な例を挙げると、第１空間幅（ＳＷ１）は約１２ｍｍであり、第２空間幅（ＳＷ２）は約１０ｍｍである。第１分割幅（ＤＷ１）は約２ｍｍであり、第２分割幅（ＤＷ２）は約４ｍｍである。第１突出幅（ＰＷ１）と第２突出幅（ＰＷ２）は約１ｍｍで同じである。シーリング部１５６のシーリング幅（ＲＷ）は約３ｍｍである。
【００３８】
図５は、図１に示した平板蛍光ランプの背面を示した斜視図である。
【００３９】
図５を参照すると、平板蛍光ランプ１００は、第１基板１４０の外面に形成される第２外部電極１２２を更に含むことができる。第２外部電極１２２は、第１外部電極１２０の位置に対応して第１基板１４０の両端部にそれぞれ形成される。このように、第１外部電極１２０及び第２外部電極１２２が第１基板１４０及び第２基板１５０にそれぞれ形成される場合、別途、導電クリップなどを通じて第１基板１４０に形成された第１外部電極１２０と第２基板１５０に形成された第２外部電極１２２を互いに連結することができる。一方、第２外部電極１２２は第１外部電極１２０と同じ電極幅で形成されることが望ましいが、第１基板１４０には光が出射されないので、第１外部電極１２０に比べて電極幅を更に大きくして第１基板１４０と接する面積を更に増加させることができる。
【００４０】
図６は、図１に示したＡ部分を拡大した拡大図であり、図７は、図６のＩ−Ｉに沿って見た断面図である。
【００４１】
図６及び図７を参照すると、連結通路１７０は、各空間分割部１５４に少なくとも一つ以上が形成される。各連結通路１７０は互いに隣接する放電空間１３０を連結するために第１基板１４０との結合時に、第１基板１４０と所定の距離で離隔するように形成される。連結通路１７０は、一例として、空間分割部１５４の長手方向に対して対角線方向に曲線を描いて形成される。特に、連結通路１７０は、空間分割部１５４の長手方向に対して対角線方向にＳ字形状を有するよう形成されることが望ましい。連結通路１７０の形状をＳ字形状で形成することによって、連結通路１７０の長さは放電空間１３０の間の離隔距離、即ち、空間分割部１５４の第２分割幅（ＤＷ２）より大きくなる。このように、連結通路１７０の長さを増加させることによって、各放電空間１３０で流れる電流が隣接した他の放電空間１３０に移動することができる経路が長くなり、偏流現象などの不良発生を効果的に防止することができる。
【００４２】
連結通路１７０は、一例として、各空間分割部１５４の長手方向の中央部に一つ形成される。ここで、連結通路１７０は、約２ｍｍの幅と約２ｍｍ程度の高さで形成される。連結通路１７０は、これに限らず、上述したように、各空間分割部１５４に少なくとも一つ以上を形成することができ、形状も多様な変形が可能である。
【００４３】
（実施例２）
図８は、本発明の第２実施例による第２基板を示した平面図である。本実施例で、第２基板を除いた残りの構成は第１実施例と同じであるので、重複する詳細な説明は省略する。
【００４４】
図８を参照すると、第２基板２５０は、放電空間部２５２、空間分割部２５４、及びシーリング部２５６で構成される。放電空間部２５２は、一定間隔に離隔され、互いに平行に形成され、空間分割部２５４は、互いに隣接する放電空間部２５２の間に形成され、放電空間１３０を分割し、シーリング部２５６は、放電空間部２５２と空間分割部２５４のエッジを囲むように形成される。
【００４５】
各放電空間部２５２は、第１外部電極１２０と重なる第１領域（ＲＥ１）と、第１外部電極１２０と重ならない第２領域（ＲＥ２）に区分される。各放電空間部２５２は、第１領域（ＲＥ１）で第１空間幅（ＳＷ１）を有し、第２領域（ＲＥ２）で第２空間幅（ＳＷ２）を有する。ここで、第１空間幅（ＳＷ１）及び第２空間幅（ＳＷ２）は、第１外部電極１２０の延長方向と同じ方向の長さを意味する。
【００４６】
全ての放電空間部２５２の第１空間幅（ＳＷ１）は同じであり、全ての放電空間部２５２の第２空間幅（ＳＷ２）も同じである。各放電空間部２５２の第１空間幅（ＳＷ１）は、第２空間幅（ＳＷ２）より大きく形成される。各放電空間部２５２は第１領域（ＲＥ１）と第２領域（ＲＥ２）の境界部で第１領域（ＲＥ１）から第２領域（ＲＥ２）に近くなるほど空間幅が次第に小さくなるように形成される。
【００４７】
本実施例で、外郭と最も隣接する放電空間部２５２は、他の放電空間部２５２と異なる形状を有する。外郭と最も隣接する放電空間部２５２はシーリング部２５６と接する辺は、第１領域（ＲＥ１）と第２領域（ＲＥ２）の同一線上で形成され、隣接した空間分割部２５４と接する辺は、第１領域（ＲＥ１）において、第２領域（ＲＥ２）に比べて隣接した放電空間部２５２側に第１突出幅（ＰＷ１）だけ突出するように形成される。このように、第１領域（ＲＥ１）で、放電空間部２５２がシーリング部２５６側に突出しないことによって、第１基板１４０との結合は、第１領域（ＲＥ１）で、放電空間部２５２がシーリング部２５６側に突出する場合よりも、より安定的に結合することができる。
【００４８】
外郭と最も隣接する放電空間部２５２を除いた残余放電空間部２５２は同じ形状を有し、長手方向を基準として上下対称に形成される。一例として、シーリング部２５６から二番目に位置する放電空間部２５２の場合、第１領域（ＲＥ１）で、第２領域（ＲＥ２）に比べてシーリング部２５６側に第２突出幅（ＰＷ２）だけ突出し、第２領域（ＲＥ２）に比べてシーリング部２５６の反対側に第３突出幅（ＰＷ３）だけ突出する。ここで、第２突出幅（ＰＷ２）と第３突出幅（ＰＷ３）は同じである。
【００４９】
全ての放電空間部２５２は、同じ第１空間幅（ＳＷ１）を有するので、第１突出幅（ＰＷ１）は第１突出幅（ＰＷ２）及び第３突出幅（ＰＷ３）の和と同じである。即ち、第１突出幅（ＰＷ１）は第２突出幅（ＰＷ２）又は第３突出幅（ＰＷ３）の二倍になる。
【００５０】
全ての空間分割部２５４は、第２領域（ＲＥ２）で同じ第２分割幅（ＤＷ２）を有する。外郭と最も隣接した空間分割部２５４は、第１領域（ＲＥ１）での第１分割幅（ＤＷ１）が、第２領域（ＲＥ２）での第２分割幅（ＤＷ２）より小さく形成される。外郭と最も隣接した空間分割部２５４を除いた残余空間分割部２５４は、第１領域（ＲＥ１）での第３分割幅（ＤＷ３）が、第２領域（ＲＥ２）での第２分割幅（ＤＷ２）より小さく形成される。ここで、第１分割幅（ＤＷ１）は第３分割幅（ＤＷ３）より小さく形成される。
【００５１】
本実施例による第２基板２５０の具体的な例を挙げると、第１空間幅（ＳＷ１）は約１２ｍｍであり、第２空間幅（ＳＷ２）は約１０ｍｍである。第１分割幅（ＤＷ１）は、約１ｍｍであり、第２分割幅（ＤＷ２）は約４ｍｍであり、第３分割幅（ＤＷ３）は約２ｍｍである。第１突出幅（ＰＷ１）は約２ｍｍであり、第２突出幅（ＰＷ２）及び第３突出幅（ＰＷ３）は約１ｍｍで同じである。シーリング部２５６のシーリング幅（ＲＷ）は約３ｍｍである。
【００５２】
（実施例３）
図９は、本発明の第３実施例による第２基板を示した平面図である。本実施例で、第２基板を除いた残りの構成は第１実施例と同じであるので、重複する詳細な説明は省略する。
【００５３】
図９を参照すると、第２基板３５０は、放電空間部３５２、空間分割部３５４、及びシーリング部３５６で構成される。放電空間部３５２は、一定間隔に離隔され、互いに平行に形成され、空間分割部３５４は互いに隣接する放電空間部３５２の間に形成され、放電空間１３０を分割し、シーリング部３５６は、放電空間部３５２と空間分割部３５４のエッジを囲むように形成される。
【００５４】
各放電空間部３５２は、第１外部電極１２０と重なる第１領域（ＲＥ１）と、第１外部電極１２０と重ならない第２領域（ＲＥ２）に区分される。各放電空間部３５２は、第１領域（ＲＥ１）で第１空間幅（ＳＷ１）を有し、第２領域（ＲＥ２）で第２空間幅（ＳＷ２）を有する。ここで、第１空間幅（ＳＷ１）及び第２空間幅（ＳＷ２）は、第１外部電極１２０の延長方向と同じ方向の長さを意味する。
【００５５】
全ての放電空間部３５２の第１空間幅（ＳＷ１）は同じであり、全ての放電空間部３５２の第２空間幅（ＳＷ２）も同じである。各放電空間部３５２の第１空間幅（ＳＷ１）は、第２空間幅（ＳＷ２）より大きく形成される。各放電空間部３５２は、第１領域（ＲＥ１）と第２領域（ＲＥ２）の境界部で、第１領域（ＲＥ１）から第２領域（ＲＥ２）に近くなるほど空間幅が次第に小さくなるように形成される。
【００５６】
本実施例で、外郭と並んで隣接した二つの放電空間部３５２は、他の放電空間部３５２と異なる形状を有する。外郭と最も隣接した放電空間部３５２は、シーリング部３５６と接する辺は、第１領域（ＲＥ１）と第２領域（ＲＥ２）で同一線上に形成され、隣接した空間分割部３５４と接する辺は、第１領域（ＲＥ１）で第２領域（ＲＥ２）に比べて隣接した放電空間部３５２側に第１突出幅（ＰＷ１）だけ突出するように形成される。外郭と二番目に隣接した放電空間部３５２は、第１領域（ＲＥ１）で第２領域（ＲＥ２）に比べてシーリング部３５６側に第２突出幅（ＰＷ２）だけ突出され、第２領域（ＲＥ２）に比べてシーリング部３５６の反対側に第３突出幅（ＰＷ３）だけ突出される。ここで、第３突出幅（ＰＷ３）は、第１突出幅（ＰＷ１）より小さく、第２突出幅（ＰＷ２）は第３突出幅（ＰＷ３）より小さく形成される。
【００５７】
外郭と並んで隣接する二つの放電空間部３５２を除いた残余放電空間部３５２は同じ形状を有し、長手方向を基準として上下対称に形成される。一例として、シーリング部３５６から三番目に位置する放電空間部３５２の場合、第１領域（ＲＥ１）で、第２領域（ＲＥ２）に比べてシーリング部３５６側に第４突出幅（ＰＷ４）だけ突出し、第２領域（ＲＥ２）に比べてシーリング部３５６の反対側に第５突出幅（ＰＷ５）だけ突出する。ここで、第４突出幅（ＰＷ４）と第５突出幅（ＰＷ５）は同じであり、第４突出幅（ＰＷ４）は第３突出幅（ＰＷ３）より小さく形成される。
【００５８】
全ての放電空間部３５２は、同じ第１空間幅（ＳＷ１）を有するので、第１突出幅（ＰＷ１）は第２突出幅（ＰＷ２）及び第３突出幅（ＰＷ３）の和と同じであり、第４突出幅（ＰＷ４）及び第５突出幅（ＰＷ５）の和と同じである。
【００５９】
全ての空間分割部３５４は、第２領域（ＲＥ２）で同じ第２分割幅（ＤＷ２）を有する。外郭と最も隣接した空間分割部３５４は、第１領域（ＲＥ１）での第１分割幅（ＤＷ１）が、第２領域（ＲＥ２）での第２分割幅（ＤＷ２）より小さく形成される。外郭と二番目に隣接した空間分割部３５４においては、第１領域（ＲＥ１）での第３分割幅（ＤＷ３）が、第２領域（ＲＥ２）での第２分割幅（ＤＷ２）より小さく形成される。外郭と並んで隣接した二つの空間分割部３５４を除いた残余空間分割部３５４においては、第１領域（ＲＥ１）での第４分割幅（ＤＷ４）が、第２領域（ＲＥ２）での第２分割幅（ＤＷ２）より小さく形成される。ここで、第１分割幅（ＤＷ１）と第３分割幅（ＤＷ３）は同じであり、第１分割幅（ＤＷ１）及び第３分割幅（ＤＷ３）は、第４分割幅（ＤＷ４）より小さく形成される。
【００６０】
本実施例による第２基板３５０の具体的な例を挙げると、第１空間幅（ＳＷ１）は約１２ｍｍであり、第２空間幅（ＳＷ２）は約１０ｍｍである。第１分割幅（ＤＷ１）は約１．５ｍｍであり、第２分割幅（ＤＷ２）は約４ｍｍであり、第３分割幅（ＤＷ３）は約１．５ｍｍであり、第４分割幅（ＤＷ４）は約２ｍｍである。第１突出幅（ＰＷ１）は約２ｍｍであり、第２突出幅（ＰＷ２）は約０．５ｍｍであり、第３突出幅（ＰＷ３）は約１．５ｍｍであり、第４突出幅（ＰＷ４）及び第５突出幅（ＰＷ５）は約１ｍｍとして同じである。シーリング部３５６のシーリング幅（ＲＷ）は約３ｍｍである。
【００６１】
一方、本実施例では、外郭と並んで隣接した二つまでの空間分割部３５４に対してのみ他の空間分割部３５４に比べて第１分割幅（ＤＷ１）及び第３分割幅（ＤＷ３）が小さく形成されるが、これに限らず、三つ以上の空間分割部３５４に対して外郭と隣接するほど分割幅が順次減少するよう形成することもできる。
【００６２】
（実施例４）
図１０は、本発明の第４実施例による平板蛍光ランプを示した分解斜視図であり、図１１は、図１０に示した平板蛍光ランプの断面図である。
【００６３】
図１０及び図１１を参照すると、平板蛍光ランプ４００は、第１基板４１０、第２基板４２０、複数の隔壁４３０、及び第１外部電極４４０を含む。
【００６４】
第１基板４１０及び第２基板４２０は同じ平板形状を有し、一例として、可視光線は透過させ、紫外線は遮断する透明なガラス基板からなる。第１基板４１０及び第２基板４２０は、密封部材４５０を通じて結合される。密封部材４５０は、第１基板４１０と第２基板４２０との間にエッジを囲むように配置され、第１基板４１０及び第２基板４２０の外郭を密封して内部に空間を形成する。
【００６５】
隔壁４３０は、第１基板４１０と第２基板４２０との間に形成された内部空間を複数の放電空間４７０に分割するために、少なくとも一つ以上が互いに並んで等間隔に配置される。各隔壁４３０は、一方向に延びられる棒形状を有し、第２基板４２０と第１基板４１０に上下部が密着される。本実施例で、各隔壁４３０は、第１外部電極４４０と重なる第１領域（ＲＥ１）での隔壁幅が、第１外部電極４４０と重ならない第２領域（ＲＥ２）での隔壁幅より小さく形成される。したがって、各放電空間４７０は、第１領域（ＲＥ１）での空間幅が第２領域（ＲＥ２）での空間幅より大きくなり、第１外部電極４４０と接する面積が増加するようになる。
【００６６】
一方、各隔壁４３０では、互いに隣接した放電空間４７０を連結するための連結通路４８０が形成される。連結通路４８０は隔壁４３０を不連続に形成して一部が切られるように形成するか、隔壁４３０の一部に穴をあける方法で形成される。連結通路４８０は望ましくは、各隔壁４３０に一つずつ形成される。連結通路４８０の形成位置は自由に選択することができるが、連結通路４８０が一直線上に配置されないように交互的に形成することが望ましい。いずれか一つ以上の放電空間４７０に注入される放電ガスは連結通路４８０を通じて他の放電空間４７０に移動され、結局、全ての放電空間４７０に均一に分布するようになる。一方、連結通路４８０は、放電ガスの注入時間を短縮するために、各隔壁４３０に一つ以上を形成することができる。
【００６７】
第１外部電極４４０は、第２基板４２０の外面に形成され、全ての放電空間４７０と交差するように放電空間４７０の長手方向の両端部、即ち、隔壁４３０の長手方向の両端部に対応してそれぞれ形成される。一方、平板蛍光ランプ４００は、第１基板４１０の外面に第１外部電極４４０に対応して形成される第２外部電極４６０を更に含むことができる。
【００６８】
本実施例による平板蛍光ランプ４００は、第１蛍光層４１２及び第２蛍光層４２２と反射層４１４を更に含む。第１蛍光層４１２は第１基板４１０の内面及び隔壁４３０の側壁に薄い膜形態で形成され、第２蛍光層４２２は第２基板４２０の内面に薄い膜形態で形成される。即ち、それぞれの放電空間４７０は、第１蛍光層４１２及び第２蛍光層４２２によって囲むようになる。一方、第１蛍光層４１２は第１基板４１０の内面にのみ形成され、隔壁４３０の側面には形成されないようにすることもできる。このような第１蛍光層４１２及び第２蛍光層４２２は、プラズマ放電を通じて発生された紫外線によって励起され可視光線を放出する。反射層４１４は、第１蛍光層４１２及び第２蛍光層４２２によって発生した可視光線を第２基板４２０側に反射させ、第１基板４１０に光が漏洩することを防止する。
【００６９】
図１２は、図１０に示した隔壁の構造を説明するための平面図である。
【００７０】
図１２を参照すると、各隔壁４３０は、第１外部電極４４０と重なる第１領域（ＲＥ１）と第１外部電極４４０と重ならない第２領域（ＲＥ２）に区分される。各隔壁４３０は、第１領域（ＲＥ１）で第１隔壁幅（ＷＷ１）を有し、第２領域（ＲＥ２）で第２隔壁幅（ＷＷ２）を有する。ここで、第１隔壁幅（ＷＷ１）及び第２隔壁幅（ＷＷ２）は、第１外部電極４４０の延長方向と同じ方向の長さを意味する。
【００７１】
本実施例で、全ての隔壁４３０は、第２領域（ＲＥ２）で同じ第２隔壁幅（ＷＷ２）を有する。反面、外郭と最も隣接した隔壁幅４３０は、第１領域（ＲＥ１）での第１隔壁幅（ＷＷ１）が第２領域（ＲＥ２）での第２隔壁幅（ＷＷ２）より小さく形成される。外郭と最も隣接した隔壁４３０を除いた残余隔壁４３０は同じ形状を有し、第１領域（ＲＥ１）での第３隔壁幅（ＷＷ３）が、第２領域（ＲＥ２）での第２隔壁幅（ＷＷ２）より小さく形成される。ここで、第１隔壁幅（ＷＷ１）は、第３隔壁幅（ＷＷ３）より小さく形成される。
【００７２】
また、互いに隣接した隔壁４３０の間に第１領域（ＲＥ１）での第１離隔距離（ＤＤ１）は第２領域（ＲＥ２）での第２離隔距離（ＤＤ２）より大きく形成される。ここで、第１離隔距離（ＤＤ１）及び第２離隔距離（ＤＤ２）は放電空間４７０の空間幅を意味する。全ての隔壁４３０間の第１離隔距離（ＤＤ１）は互いに同じであり、全ての隔壁４３０間の第２離隔距離（ＤＤ２）も同じである。したがって、全ての放電空間４７０は、第１領域（ＲＥ１）で第１離隔距離（ＤＤ１）だけの同じ空間幅を有し、第２領域（ＲＥ２）で第２離隔距離（ＤＤ２）だけの同じ空間幅を有する。
【００７３】
（実施例５）
図１３は、本発明の第５実施例による平板蛍光ランプを示した平面図である。本実施例で、隔壁を除いた残りの構成は第４実施例と同じであるので、その重複する詳細な説明は省略する。
【００７４】
図１３を参照すると、各隔壁５３０は、第１外部電極４４０と重なる第１領域（ＲＥ１）と第１外部電極４４０と重ならない第２領域（ＲＥ２）に区分される。各隔壁５３０は、第１領域（ＲＥ１）で第１隔壁幅（ＷＷ１）を有し、第２領域（ＲＥ２）で第２隔壁幅（ＷＷ２）を有する。ここで、第１隔壁幅（ＷＷ１）及び第２隔壁幅（ＷＷ２）は、第１外部電極４４０の延長方向と同じ方向の長さを意味する。
【００７５】
本実施例で、全ての隔壁５３０は、第２領域（ＲＥ２）で同じ第２隔壁幅（ＷＷ２）を有する。外郭と最も隣接した隔壁５３０は、第１領域（ＲＥ１）での第１隔壁幅（ＷＷ１）が、第２領域（ＲＥ２）での第２隔壁幅（ＷＷ２）より小さく形成される。外郭と二番目に隣接した隔壁５３０は、第１領域（ＲＥ１）での第３隔壁幅（ＷＷ３）が、第２領域（ＲＥ２）での第２隔壁幅（ＷＷ２）より小さく形成される。ここで、第１隔壁幅（ＷＷ１）と第３隔壁幅は互いに同じである。外郭と並んで隣接した二つの隔壁５３０を除いた残りの隔壁５３０は同じ形状を有し、第１領域（ＲＥ１）での第４隔壁幅（ＷＷ４）が第２領域（ＲＥ２）での第２隔壁幅（ＷＷ２）より小さく形成される。ここで、第４隔壁幅（ＷＷ４）は、第１隔壁幅（ＷＷ１）及び第３隔壁幅（ＷＷ３）より大きく形成される。
【００７６】
また、互いに隣接した隔壁５３０間の第１領域（ＲＥ１）での第１離隔距離（ＤＤ１）は、第２領域（ＲＥ２）での第２離隔距離（ＤＤ２）より大きく形成される。ここで、第１離隔距離（ＤＤ１）及び第２離隔距離（ＤＤ２）は、放電空間４７０の空間幅を意味する。全ての隔壁５３０間の第１離隔距離（ＤＤ１）は互いに同じであり、全ての隔壁５３０間の第２離隔距離（ＤＤ２）も同じである。したがって、全ての放電空間４７０は、第１領域（ＲＥ１）で第１離隔距離（ＤＤ１）だけの同じ幅を有し、第２領域（ＲＥ２）で第２離隔距離（ＤＤ２）だけの同じ空間幅を有する。
【００７７】
（実施例６）
液晶表示装置の実施例
図１４は、本発明の第６実施例による液晶表示装置を示した分解斜視図である。本実施例で、平板蛍光ランプは、前述した第１乃至第５実施例と同じ構成を有するので、その重複した詳細な説明は省略する。
【００７８】
図１４を参照すると、液晶表示装置６００は、平板蛍光ランプ１００、ディスプレイユニット７００、及びインバータ８００を含む。
【００７９】
ディスプレイユニット７００は、画像を表示する液晶表示パネル７１０、液晶表示パネル７１０を駆動するための駆動信号を提供するデータ印刷回路基板７２０及びゲート印刷回路基板７３０を含む。データ印刷回路基板７２０及びゲート印刷回路基板７３０から提供される駆動信号はデータ可撓性回路フィルム７４０及びゲート可撓性回路フィルム７５０を通じて液晶表示パネル７１０に印加される。データ可撓性回路フィルム７４０及びゲート可撓性回路フィルム７５０は、一例として、テープキャリアパッケージ（ＴＣＰ）又はチップオンフィルム（ＣＯＦ）で構成される。また、各データ可撓性回路フィルム７４０及び各ゲート可撓性回路フィルム７５０は、データ印刷回路基板７２０及びゲート印刷回路基板７３０から提供される駆動信号を適切なタイミングに液晶表示パネル７１０に印加するために、駆動信号を制御するデータ駆動チップ７４２及びゲート駆動チップ７５２を更に含む。
【００８０】
液晶表示パネル７１０は、薄膜トランジスタ（ＴＦＴ）基板７１２、ＴＦＴ基板７１２と対向して結合するカラーフィルタ基板７１４、及び前記二枚の基板７１２、７１４の間に介在された液晶７１６を含む。
【００８１】
ＴＦＴ基板７１２は、スイッチング素子であるＴＦＴ（図示せず）がマトリクス形態で形成された透明なガラス基板である。前記ＴＦＴのソース端子及びゲート端子にはそれぞれデータライン及びゲートラインが連結され、ドレイン端子には透明な導電性材質からなる画素電極（図示せず）が連結される。
【００８２】
カラーフィルタ基板７１４は、色画素であるＲＧＢ画素（図示せず）が薄膜工程によって形成された基板である。カラーフィルタ基板７１４には透明な導電性材質からなる共通電極（図示せず）が形成される。
【００８３】
このような構成を有する液晶表示パネル７１０は前記ＴＦＴのゲート端子に電源が印加され、ＴＦＴがターンオンされると、画素電極と共通電極との間には電界が形成される。このような電界によってＴＦＴ基板７１２とカラーフィルタ基板７１４との間に介在された液晶７１６の配列が変化し、液晶７１６の配列変化によって平板蛍光ランプ１００から供給される光の透過度が変更され、希望する諧調の画像を得ることができる。
【００８４】
インバータ８００は、平板蛍光ランプ１００を駆動するための放電電圧を発生させる。インバータ８００は、外部から印加される交流電圧を平板蛍光ランプ１００の駆動のための放電電圧に昇圧させて出力する。インバータ８００から発生された放電電圧は第１電源線８１０及び第２電源線８２０を通じて平板蛍光ランプ１００の第１外部電極１２０にそれぞれ印加される。本実施例で、平板蛍光ランプ１００が第２外部電極１２２を更に含む場合、第１外部電極１２０及び第２外部電極１２２を電気的に連結し、かつ第１電源線８１０及び第２電源線８２０とそれぞれ連結される第１導電性クリップ１８０及び第２導電性クリップ１９０を更に含むことができる。
【００８５】
一方、液晶表示装置６００は、平板蛍光ランプ１００を収納するための収納容器９００、平板蛍光ランプ１００から出射される光の特性を向上させるための光学部材９５０及び液晶表示パネル７１０を固定するための固定部材９８０を更に含む。
【００８６】
収納容器９００は、平板蛍光ランプ１００を収納するために底部９１０、及び底部９１０のエッジから収納空間を形成するために垂直に延びられた複数の側壁９２０で構成される。収納容器９００は、平板蛍光ランプ１００の収納時、平板蛍光ランプ１００との絶縁のための絶縁部材（図示せず）を更に含むことができる。
【００８７】
光学部材９５０は、平板蛍光ランプ１００と液晶表示パネル７１０との間に配置される。光学部材９５０は、平板蛍光ランプ１００から出射される光の経路を変更させ、輝度均一度を向上させ、正面輝度を向上させる役割を果たす。このため、光学部材９５０は、平板蛍光ランプ１００から出射される光を拡散させるための拡散板９６０を含む。拡散板９６０は、所定厚さを有するプレート形状で形成され、平板蛍光ランプ１００と所定間隔に離隔され、配置される。光学部材９５０は、拡散板９６０の上部に配置される一枚以上の集光シート９７０を更に含むことができる。集光シート９７０は拡散板から出射される光を液晶表示パネル７１０方向に集光して光の正面輝度を向上させる。一方、図示はしていないが、光学部材９５０は、集光シート９７０の下部又は上部に配置され、光を拡散させるための拡散シートを更に含むことができる。
【００８８】
固定部材９８０は、液晶表示パネル７１０のエッジを囲みかつ収納容器９００に結合して液晶表示パネル７１０を光学部材９５０の上部に固定させる。このような固定部材９８０は、外部衝撃による液晶表示パネル７１０の破損を防止し、液晶表示パネル７１０が収納容器９００から離脱することを防止する。
【００８９】
一方、図示はしていないが、液晶表示装置６００は、平板蛍光ランプ１００と拡散板９６０との間に配置され、平板蛍光ランプ１００のエッジを囲みかつ平板蛍光ランプ１００を収納容器９００に固定し、拡散板９６０を平板蛍光ランプ１００と一定距離に離隔するよう支持する別途の第１フレームを更に含むことができる。また、液晶表示装置６００は、光学部材９５０と液晶表示パネル７１０との間に
配置され、光学部材９５０を収納容器９００に固定し、液晶表示パネル７１０の収納位置をガイドするための別途の第２フレームを更に含むことができる。
【産業上の利用可能性】
【００９０】
このような平板蛍光ランプ、及びこれを有する液晶表示装置によると、外部電極と重なる第１領域での放電空間の空間幅を外部電極と重ならない第２領域での空間幅に比べて大きく形成して、放電電圧を低下させることができる。
【００９１】
また、外郭と最も隣接した放電空間は、シーチング部と接する辺が第１領域と第２領域で同一線上に形成され、安定的の密封のためにサイズが増加することを防止することができる。
【００９２】
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【００９３】
【図１】本発明の第１実施例による平板蛍光ランプを示した斜視図である。
【図２】図１に示した平板蛍光ランプの断面図である。
【図３】図１に示した第２基板の平面図である。
【図４】図３に示した第２基板の一部を拡大した拡大図である。
【図５】図１に示した平板蛍光ランプの反面を示した斜視図である。
【図６】図１に示したＡ部分を拡大した拡大図である。
【図７】図６のＩ−Ｉに沿って見た断面図である。
【図８】本発明の第２実施例による第２基板を示した平面図である。
【図９】本発明の第３実施例による第２基板を示した平面図である。
【図１０】本発明の第４実施例による平板蛍光ランプを示した分解斜視図である。
【図１１】図１０に示した平板蛍光ランプの断面図である。
【図１２】図１０に示した隔壁の構造を説明するための平面図である。
【図１３】本発明の第５実施例による平板蛍光ランプを示した平面図である。
【図１４】本発明の第６実施例による液晶表示装置を示した分解斜視図である。
【符号の説明】
【００９４】
１００    平板蛍光ランプ、
１１０    ランプ本体、
１２０    第１外部電極、
１３０    放電空間、
１４０    第１基板、
１５０    第２基板、
１５２    放電空間部、
１５４    空間分割部、
１５６    シーリング部、
１７０    連結通路、
６００    液晶表示装置、
７００    ディスプレイユニット、
７１０    液晶表示パネル、
８００    インバータ、
９００    収納容器、
９５０    光学部材、
９８０    固定部材。
【図１】
2006032331.tif 000003
【図２】
2006032331.tif 000004
【図３】
2006032331.tif 000005
【図４】
2006032331.tif 000006
【図５】
2006032331.tif 000007
【図６】
2006032331.tif 000008
【図７】
2006032331.tif 000009
【図８】
2006032331.tif 000010
【図９】
2006032331.tif 000011
【図１０】
2006032331.tif 000012
【図１１】
2006032331.tif 000013
【図１２】
2006032331.tif 000014
【図１３】
2006032331.tif 000015
【図１４】
2006032331.tif 000016